(57)【要約】【課題】底面全面の水がスムーズに排水されて乾燥までの時間を短くできる洗い場用床パンや浴槽を提供する。【解決手段】床パン本体１の底面または浴槽本体６に排水口２、７等の排水部に向かって低くなるように全面に水勾配が設けられる。この床パン本体１の底面または浴槽本体６に全面に亙って微細突起３が微細突起３の根元が同面になるように突設される。全面に亙る微細突起３として高さの高いものと高さの低いものとが設けられる。【選択図】        図１
2006125154.tif 000002
【特許請求の範囲】
【請求項１】
床パン本体の底面に排水口等の排水部に向かって低くなるように全面に水勾配が設けられ、この床パン本体の底面に全面に亙って微細突起が微細突起の根元が同面になるように突設され、全面に亙る微細突起として高さの高いものと高さの低いものとが設けられたことを特徴する洗い場用床パン。
【請求項２】
高さの異なる微細突起が全面に亙ってランダムに設けられたことを特徴とする請求項１記載の洗い場用床パン。
【請求項３】
高さの高い微細突起が集まった島状の高微細突起群が床パン本体の底面の全面に点在させて設けられ、高微細突起群以外の部分が高さの低い微細突起からなる低微細突起群とされたことを特徴とする請求項１記載の洗い場用床パン。
【請求項４】
高さの低い微細突起が集まった島状の低微細突起群が床パン本体の底面の全面に点在させて設けられ、低微細突起群以外の部分が高さの高い微細突起からなる高微細突起群とされたことを特徴とする請求項１記載の洗い場用床パン。
【請求項５】
浴槽本体の底面に排水口等の排水部に向かって低くなるように全面に水勾配が設けられ、この浴槽本体の底面に全面に亙って微細突起が微細突起の根元が同面になるように突設され、全面に亙る微細突起として高さの高いものと高さの低いものとが設けられたことを特徴する浴槽。
【請求項６】
高さの異なる微細突起が全面に亙ってランダムに設けられたことを特徴とする請求項５記載の浴槽。
【請求項７】
高さの高い微細突起が集まった島状の高微細突起群が浴槽本体の底面の全面に点在させて設けられ、高微細突起群以外の部分が高さの低い微細突起からなる低微細突起群とされたことを特徴とする請求項５記載の浴槽。
【請求項８】
高さの低い微細突起が集まった島状の低微細突起群が浴槽本体の底面の全面に点在させて設けられ、低微細突起群以外の部分が高さの高い微細突起からなる高微細突起群とされたことを特徴とする請求項５記載の浴槽。
【発明の詳細な説明】
【技術分野】
【０００１】
本発明は、浴室の洗い場用床パンや浴槽の底面の構造に関するものである。
【背景技術】
【０００２】
近年、浴室の洗い場に用いるＦＲＰのような樹脂製の床パンとして、床パン本体の底面に滑り止めのためや模様を付与するために全面に亙って凸部を点在するように設けると共に床パン本体の底面の凸部以外の高さの低い部分を排水凹溝としてこの排水凹溝を床パン本体の排水口等の排水部に連続させ、排水凹溝の表面に親水性を持たせるために微細な凹凸を設けたものが提案されている（例えば、特許文献１参照）。
【０００３】
床パンの湯水を排水するとき、床パンの全面から排水口等の排水部に向けて水勾配によって排水されるが、排水する水量が少なくなってきたとき主に排水凹溝に沿って排水されるようになる。このとき排水凹溝に微細な凹凸を設けることにより親水性を持たせてあるために表面張力により水玉ができず、排水口等の排水部に水が繋がっている間はその水の誘導により水勾配の作用と相俟って排水される。最終的には排水凹溝全体に水が薄く広がって自然乾燥されるようになっている。  
【特許文献１】特開２００４−２５１０９５号公報
【発明の開示】
【発明が解決しようとする課題】
【０００４】
上記の従来例のものにあっては、床パンに凸部を点在させて設けてあるために滑り止めできると共に模様を付与して外観的に変化を持たせることができ、しかも排水凹溝に微細な凹凸を設けて親水性を持たせてあるために排水凹溝に水玉ができたりしにくく、水がスムーズに排水されて床パンの乾燥が速くなるが、凸部が全面に亙って点在して存在するために凸部が排水を阻害する可能性がある。つまり、排水水量が少なくなってきたときに主に排水凹溝から排水されるが、凸部があるために排水経路が長くなったり、迂回したりして排水が阻害されるおそれがあり、また凸部があるために排水凹溝の表面に親水性があっても凸部近傍で水玉ができて排水されにくくなり、床パンの乾燥まで時間がかかるという問題がある。
【０００５】
本発明は上記の従来の問題点に鑑みて発明したものであって、底面全面の水がスムーズに排水されて乾燥までの時間を短くできる洗い場用床パン及び浴槽を提供することを課題とするものである。
【課題を解決するための手段】
【０００６】
上記課題を解決するために本発明の請求項１の洗い場用床パンＡは、床パン本体１の底面に排水口２等の排水部に向かって低くなるように全面に水勾配が設けられ、この床パン本体１の底面に全面に亙って微細突起３が微細突起３の根元が同面になるように突設され、全面に亙る微細突起３として高さの高いものと高さの低いものとが設けられたことを特徴する。
【０００７】
また本発明の請求項２の洗い場用床パンＡは、請求項１において、高さの異なる微細突起３が全面に亙ってランダムに設けられたことを特徴とする。
【０００８】
また本発明の請求項３の洗い場用床パンＡは、高さの高い微細突起３ａが集まった島状の高微細突起群４が床パン本体１の底面の全面に点在させて設けられ、高微細突起群４以外の部分が高さの低い微細突起３ｂからなる低微細突起群５とされたことを特徴とする。
【０００９】
また本発明の請求項４の洗い場用床パンＡは、高さの低い微細突起３ｂが集まった島状の低微細突起群５が床パン本体１の底面の全面に点在させて設けられ、低微細突起群５以外の部分が高さの高い微細突起３ａからなる高微細突起群４とされたことを特徴とする。
【００１０】
また本発明の請求項５の浴槽Ｂは、浴槽本体６の底面に排水口７等の排水部に向かって低くなるように全面に水勾配が設けられ、この浴槽本体６の底面に全面に亙って微細突起３が微細突起３の根元が同面になるように突設され、全面に亙る微細突起３として高さの高いものと高さの低いものとが設けられたことを特徴する。
【００１１】
また本発明の請求項６の浴槽Ｂは、請求項５において、高さの異なる微細突起３が全面に亙ってランダムに設けられたことを特徴とする。
【００１２】
また本発明の請求項７の浴槽Ｂは、請求項５において、高さの高い微細突起３ａが集まった島状の高微細突起群４が浴槽本体６の底面の全面に点在させて設けられ、高微細突起群４以外の部分が高さの低い微細突起３ｂからなる低微細突起群５とされたことを特徴とする。
【００１３】
また本発明の請求項８の浴槽Ｂは、請求項５において、高さの低い微細突起３ｂが集まった島状の低微細突起群５が浴槽本体６の底面の全面に点在させて設けられ、低微細突起群５以外の部分が高さの高い微細突起３ａからなる高微細突起群４とされたことを特徴とする。
【００１４】
請求項１の洗い場用床パンＡや請求項５の浴槽Ｂは、床パン本体１または浴槽本体６の底面に排水部に向かって低くなるように全面に水勾配が設けられ、この床パン本体１または浴槽本体６の底面に全面に亙って微細突起３が微細突起３の根元が同面になるように突設されたことにより、底面全面を排水面とすると共に底面全面に親水性を持たせることができるものであって、従来の凸部のように排水を阻害するものがなくて全面に亙って水玉ができたりすることがないと共に全面に亙って最短の距離で排水されてスムーズに排水され、乾燥するまでの時間を短縮できる。また全面に亙る微細突起３として高さの高いものと高さの低いものとが設けられたことにより滑り止め効果も期待できる。
【００１５】
また請求項３の洗い場用床パンＡや請求項７の浴槽Ｂは、高さの高い微細突起３ａが集まった島状の高微細突起群４が床パン本体１または浴槽本体６の全面に点在させて設けられ、高微細突起群４以外の部分が高さの低い微細突起３ｂからなる低微細突起群５とされたことにより、低微細突起群５の中に島状の高微細突起群４が点在することにより、滑り止め効果がある上に、模様状になることで外観に変化を持たせることができる。
【００１６】
また請求項４の洗い場用床パンＡや請求項８の浴槽Ｂは、高さの低い微細突起３ｂが集まった島状の低微細突起群５が床パン本体１の底面の全面に点在させて設けられ、低微細突起群５以外の部分が高さの高い微細突起３ａからなる高微細突起群４とされたことにより、高微細突起群４の中に島状の低微細突起群５がに点在することになり、滑り止め効果がある上に、模様状になることで外観に変化を持たせることができる。
【発明の効果】
【００１７】
本発明は叙述の如く構成されているので、底面全面を排水面とすると共に底面全面に親水性を持たせることができるものであって、従来の凸部のように排水を阻害するものがなくて全面に亙って水玉ができたりすることがないと共に全面に亙って最短の距離で排水されてスムーズに排水されて乾燥するまでの時間を短縮できるという効果があり、しかも滑り止めできると共に外観が模様状になって外観に変化を持たせることができるという効果がある。
【発明を実施するための最良の形態】
【００１８】
以下、本発明を添付図面に示す実施形態に基いて説明する。浴室８内に図２に示すようにＦＲＰのような樹脂製の洗い場用床パンＡとＦＲＰのような樹脂製の浴槽Ｂとが並設してある。この洗い場用床パンＡの床パン本体１の底面の適所には排水口２等の排水部を設けてあり、床パン本体１の底面には排水部に向けて低くなるように水勾配を設けてある。図２で矢印ａの方向に低くなるように水勾配を設けてある。浴槽Ａの浴槽本体６の底面には排水口７等の排水部を設けてあり、浴槽本体６の底面に排水部に向けて低くなるように水勾配を設けてある。図２で矢印ｂの方向に低くなるように水勾配を設けてある。
【００１９】
そして本発明では床パン本体１の底面や浴槽本体６の底面の全面に亙るように数十μｍ程度の高さの微細突起３を突設してある。この微細突起３は円錐状等の錐状の突起であり、また多数の微細突起３を設けるとき微細突起３の根元は同面（水勾配に沿った平面）となるように突設してある。微細突起３の高さは数十μｍ程度の高さであり、２０〜３０μｍ以上であると良好な親水性を発揮する。なお、２０μｍ以下であると撥水性が出てしまう。また本発明では微細突起３を根元が同面になるように突設するとき、全ての微細突起３の高さを同じ高さにするのでなく、微細突起３として高さの高いものと高さの低いものを設けてある。
【００２０】
図１に示す例では床パン本体１の底面や浴槽本体６の底面に全面に亙って微細突起３を設けるとき高さの高いものと高さの低いものとが全面に亙ってランダムに点在するように設けてある。本例の場合、高さの高い微細突起３ａと高さの低い微細突起３ｂと高さの中間程度の微細突起３ｃとの３種類の微細突起３で構成されており、例えば高い微細突起３ａの高さは６０μｍ程度、高さの低い微細突起３ｂの高さは３０μｍ程度で、高さの中間程度の微細突起３ｃの高さは４０μｍ程度である。
【００２１】
上記のように床パン本体１の底面や浴槽本体６の底面の全面に亙って根元が同面になるように微細突起３が設けてあるために全面に亙って微細突起３の凹凸による親水性があり、また従来のように凸部がないために全面に亙って排水面となるものである。これにより、底面全面が排水面となって水勾配によって排水部に水が流れると共に親水性により水玉ができたりすることがなく、排水水量が少なくなっても排水部と水の流れの繋がっている状態では排水され続けて全面に亙って水が残らないようにスムーズに排水される。また底面の全面に亙って親水性を有するために水が残っても水玉ができることなく薄く残るだけで、自然乾燥により短時間で乾燥できる。また微細突起３は高さの高いものと高さの低いものとがランダムに設けてある滑り止め効果も発揮する。
【００２２】
また図３（ａ）の例でも床パン本体１の底面や浴槽本体６の底面に水勾配を設けると共に底面の全面に亙るように数十μｍ程度の微細突起３を突設し、微細突起３として高さの高い微細突起３ａと高さの低い微細突起３ｂとを設けてあるが、上記例のように高さの高い微細突起３ａと高さの低い微細突起３ｂとをランダムに設けるのでなく、高さの高い微細突起３ａが集まった高微細突起群４と高さの低い微細突起３ｂが集まった低微細突起群５とを設けてある。本例の場合、高微細突起群４が図３（ｂ）に示すように島状になっており、この島状の高微細突起群４は床パン本体１の底面や浴槽本体６の底面に点在するように設けてあり、島状の高微細突起群４が存在する部分以外の部分が全面に亙って低微細突起群５となっている。高微細突起群４となる高さの高い微細突起３ａの高さは例えば６０μｍ程度であり、低微細突起群５となる高さの低い微細突起３ｂの高さは例えば４０μｍ程度である。
【００２３】
本例の場合も床パン本体１の底面や浴槽本体６の底面に全面に亙って根元が同面となるように微細突起３が設けてあるために全面に亙って親水性があると共に全面が排水面となって排水がスムーズに行われる。このとき島状の高微細突起群４が全面に亙って点在すると共にこの部分以外の部分は低微細突起群５となっているため、滑り止め効果があるのは勿論、島状の高微細突起群４が点在することにより低微細突起群５と区別された模様となり、外観がよくなる。
【００２４】
また図４（ａ）に示す例でも高さの高い微細突起３ａからなる高微細突起群４と高さの低い微細突起３ｂからなる低微細突起群５とを有しているが、本例では低微細突起群５を島状にして床パン本体１の底面や浴槽本体６の底面の全面に亙って点在するように設けてあり、低微細突起群５以外の部分が高微細突起群４となっている。
【００２５】
本例の場合も床パン本体１の底面や浴槽本体６の底面に全面に亙って根元が同面となるように微細突起３が設けてあるために全面に亙って親水性があると共に全面が排水面となって排水がスムーズに行われる。このとき島状の低微細突起群５が全面に亙って点在すると共にこの部分以外の部分は高微細突起群４となっているため、滑り止め効果があるのは勿論、島状の低微細突起群５が点在することにより高微細突起群４と区別された模様となり、外観がよくなる。
【００２６】
また上記のように微細突起３として高さの高い微細突起３ａと高さの低い微細突起３ｂを設けたが、高さの低い微細突起３ｂの外形状が高さの高い微細突起３ａの上部の外形状と同じ形状となっている。つまり、図５に示すように高さの高い微細突起３ａを切断線ｃで切断したときの切断線ｃより上の部分の外形状と高さの低い微細突起３ｂの外形状とが同じ形状になっている。このようになっていると、床パン本体１や浴槽本体６をＦＲＰ等の樹脂で成形する金型における上記微細突起３を形成するための部分の加工が容易になる。
【図面の簡単な説明】
【００２７】
【図１】本発明の床パン本体や浴槽本体に微細突起を設けた状態の一例を示す断面図である。
【図２】浴室の一例を示す一部切欠平面図である。
【図３】（ａ）は同上の床パン本体や浴槽本体に微細突起を設けた状態の他例を示す断面図、（ｂ）は（ａ）の概略平面図である。
【図４】（ａ）は同上の床パン本体や浴槽本体に微細突起を設けた状態を他例を示す断面図、（ｂ）は（ａ）の概略平面図である。
【図５】同上の微細突起の形状を説明する説明図である。
【符号の説明】
【００２８】
Ａ  洗い場用床パン
Ｂ  浴槽  
１  床パン本体
２  排水口
３  微細突起
３ａ  高さの高い微細突起
３ｂ  高さの低い微細突起
４  高微細突起群
５  低微細突起群
６  浴槽本体
７  排水口
【図１】
2006125154.tif 000003
【図２】
2006125154.tif 000004
【図３】
2006125154.tif 000005
【図４】
2006125154.tif 000006
【図５】
2006125154.tif 000007